(57)【要約】      （修正有）【課題】地震により枠体を介し、扉に過負荷が作用しても、扉を開くことができるようにした対震丁番において、扉の取付位置が上下に多少変位していても、正常状態に扉を吊り込むことができるようにした対震丁番を提供する。【解決手段】軸側羽根１と受側羽根２を有し、羽根には取付孔を有する羽根板５、１３と、管部３、１１と、管部３、１１の一端を塞ぐ儀星６、１４と、管部３、１１に挿入される軸９と、軸９の先端に当接する座金８、１６と、管部３、１１内に固定した止め輪７、１５と、座金が止め輪７、１５に当接する方向に座金を付勢する圧縮コイルばね１０、１７がある。軸側丁番と受側丁番間には可動空間１８が形成されている。軸９は長さの異なる複数の軸から成り、軸側羽根１若しくは受側羽根２の取付位置に応じて複数の軸から選択した軸９を管部３、１１に設ける。【選択図】図６
2014136949.tif 000002
【特許請求の範囲】
【請求項１】
枠体及び扉に取り付けられる軸側羽根と受側羽根を有し、該羽根には枠体若しくは扉に取り付けるための取付孔を有する羽根板と、羽根板の端部に形成された管部と、該管部の一端を塞ぐ儀星と、管部に挿入される軸と、軸の先端に当接する座金と、管部内に固定した止め輪と、上記座金が止め輪に当接する方向に座金を付勢する圧縮コイルばねを具備し、上記軸側丁番と受側丁番間に可動空間を形成した対震丁番であって、上記軸は長さの異なる複数の軸から成り、軸側羽根若しくは受側羽根の取付位置に応じて複数の軸から選択した軸を管部に設けることを特徴とする対震丁番。
【請求項２】
上記軸は、座金に当接する面に受孔を有し、該受孔に長さの異なる調整ピンを選択的に嵌着して長さを変更するようにしたことを特徴とする請求項１に記載の対震丁番。
【請求項３】
上記調整ピンは、受孔から脱落しないよう摩擦的に保持する保持手段で保持されている請求項２に記載の対震丁番。
【請求項４】
上記軸は、長さの異なる複数の軸本体と、該軸本体に当接し上記止め輪側に座金部を有する連接部で構成され、該軸本体を管部に摩擦的に保持する保持手段を設け、上記長さの異なる複数の軸本体から選択した軸本体を管部に挿入することを特徴とする請求項１〜３のいづれかに記載の対震丁番。
【請求項５】
上記軸は、軸本体と、該軸本体に接続可能で上記止め輪側に座金部を有する連接部と、軸本体と連接部間に挟着される複数の調整座金で構成され、該軸本体を管部に摩擦的に保持する保持手段を設け、上記複数の調整座金から選択した調整座金を挟着することを特徴とする請求項１〜３のいづれかに記載の対震丁番。
【請求項６】
上記対震丁番は、受側羽根にのみ座金、止め輪および圧縮コイルばねが設けられ、上記軸は管部に着脱可能に構成される長さが相違する複数の軸から成り、該軸を管部に摩擦的に保持する保持手段を有し、長さの異なる複数の軸から選択した軸を管部に挿入することを特徴とする請求項１〜５のいづれかに記載の対震丁番。
【請求項７】
上記請求項１〜６に記載のいづれかに記載の対震丁番を備え、該対震丁番で枠体に扉を吊り込んだ扉装置。
【発明の詳細な説明】
【技術分野】
【０００１】
本発明は、扉を枠体に開閉自在に取り付けるための対震丁番であって、扉を吊り込む際に扉と枠体が干渉しないように対震丁番の軸高さを調節可能にし、地震等で枠体が変形するような外力を受けた場合であっても、変形を吸収して扉を確実に開くことを可能にした対震丁番に関する。
【背景技術】
【０００２】
地震等の外力により枠体が変形したときも扉を開くことができるようにした対震丁番が知られている（例えば特許文献１参照）。特許文献１に示す対震丁番は、図６に示すように、軸側羽根１と受側羽根２からなり、軸側羽根１は、管部３と、枠体への取付孔４を形成した羽根板５と、上記管部端に固着した儀星６と、管部内に設けられた止め輪７と、管部内に上下動かつ回動可能に挿通され下端に座金部８を一体的に有する軸９と、座金部が上記止め輪にぶつかる位置まで該軸を上方に付勢する圧縮コイルばね１０を有している。また、受側羽根２は、上記軸９を相対的に上下動かつ回動可能に挿通する管部１１と、扉への取付孔１２を形成した羽根板１３と、上記管部端に固着した儀星１４と、管部内に設けられた止め輪１５と、上下動可能な座金１６と、該座金が上記止め輪にぶつかる位置まで座金を下方に付勢する圧縮コイルばね１７を有する。そして、図６(Ａ)に示すように、上記軸側羽根１の軸９の先部を受側羽根２の管部１１に挿入し、その先端を上記座金１６に当接し、通常の状態で軸側羽根１の上端と受側羽根２の下端間に圧縮代となる約１０ｍｍ前後の可動空間１８を設けた状態に組み立てられる。通常は、２〜３組の対震丁番を用いて扉を枠体に取り付ける。地震等で枠体が変形して扉に過荷重が作用すると、軸側羽根１と受側羽根２に組み込まれた圧縮コイルばね１０、１７が撓み、軸の先端及び座金８、１６が儀星６、１４側に入り込み、入り込んだ分だけ軸側羽根１上面と受側羽根２下面間の可動空間１８が減ることにより、過負荷を吸収して扉を開閉することができる。なお、上記可動空間１８の周囲はカバー１９で覆われている。対震丁番としては、上記軸側羽根に圧縮ばねを設けずに管部に軸を固定し、受側羽根に対して相対的に上下動かつ回動可能に構成したものも知られている（例えば特許文献２参照）。
【０００３】
上記のように対震丁番は、軸側羽根と受側羽根間に圧縮代となる可動空間を設けた構成であり、受側羽根と軸側羽根は、この所定の可動空間を存する状態で、正しく枠体及び扉に取り付けられていなければ地震等の際に期待されているような効果を発揮することができない。通常、扉を吊り込むときには、開閉の円滑さ及び体裁を考慮して上枠下面と扉の上面との間、及び下枠の上面と扉の下面の間には数ｍｍ程度の間隙が設けられるが、上記取付孔の位置がずれて加工されていたり、取付ねじにより上記各羽根を扉に取り付けるとき、扉に設けた雌ねじの取付位置が所定の位置からずれていると、扉を正しく吊り込むことができず、上記各間隙が小さ過ぎたり、大き過ぎたりし、極端な場合は扉と枠体が干渉して扉が閉じないことも生じる。
【０００４】
上記のように扉の取付位置が正しい位置になくて、扉の位置が高すぎたり、低すぎたりしたとき、従来の汎用の旗丁番では、高さを調整できるようにした丁番が知られている（例えば特許文献３、４参照）。例えば特許文献３に記載されているものは、軸管間に複数の調整ピースを収納可能なキャップを設け、この調整ピースの枚数を増減して羽根板の高さを上下に調節できるようにしている。また、特許文献４に記載のものは、軸筒の上部から管内に調整ねじをねじ込み、該調整ねじの下端を球体を介して支軸に当接し、この調節ねじを進退させて羽根板の高さを変化できるように構成している。しかし、このような構成は、上記対震丁番に採用することはできない。すなわち、上記したように対震丁番では、軸側羽根と受側羽根の間に地震等の際に圧縮代となる所定の可動空間を確保しておかなければならないが、上記特許文献３に記載のように羽根板間に挿入される調整ピースの枚数を増減させるという構成では、圧縮代となる可動空間を羽根間に確保することができない。また、上記特許文献４に記載のように管部の上方から調整ねじをねじ込んでその先端を支軸に当接させる構成では、地震の際に圧縮コイルばねが撓んで座金の移動を許容するスペースを確保することができない。このように、従来の汎用旗丁番において知られている調整機構を対震丁番にそのまま採用することはむずかしい。
【先行技術文献】
【特許文献】
【０００５】
【特許文献１】特開２０１０−１８０６０８号公報（特許請求の範囲、図１、図２）
【特許文献２】特許第４０６７９１０号公報（特許請求の範囲、図１）
【特許文献３】実公平７−５４５２６号公報（実用新案登録請求の範囲、図１、図３）
【特許文献４】実開平５−１２５７５号公報（実用新案登録請求の範囲、図１、図５）
【発明の概要】
【発明が解決しようとする課題】
【０００６】
本発明は、地震等で枠体や扉が変形して扉に過負荷が作用しても、扉を開けることができるようにした対震丁番において、軸側羽根と受側羽根の取付位置が多少上下に変化してもその位置を調整して扉を正しい位置に吊り込んで対震丁番として正しく機能できるようにした調節機能付きの対震丁番を提供することである。
【課題を解決するための手段】
【０００７】
上記のように、枠体２１に取り付ける軸側羽根１と扉２０に取り付ける受側羽根２の位置がずれている場合を検討すると、例えば図７に示すような状態が考えられる。図７(Ａ)は、扉２０を枠体２１に正しく吊り込んだ状態で、扉と上枠の間には間隙Ａｍｍが形成され、扉と下枠の間には間隙Ｂｍｍが設けられている。図７(Ｂ)に示すように、受側羽根の取付位置は正常で、枠体に取り付けた軸側羽根の取付孔の加工位置若しくは扉に設けた雌ねじの位置が、正常な位置からＸｍｍだけ上に取り付けられていると、扉はＸｍｍだけ上に上がる。したがって、このときは扉の上部の間隙は、Ａ−Ｘ＝ａｍｍとなり、扉の下部の間隙は、Ｂ＋Ｘ＝ｂｍｍとなり、本来あるべき上部の間隙が狭くなり、下部の間隙が広くなっている。
【０００８】
また、図７(Ｃ)に示すように、軸側羽根１の位置は正常で、扉に取り付けた受側羽根２が、正常な位置からＸｍｍだけ下に取り付けられていると、扉はＸｍｍだけ上がる。したがって、扉の上部の間隙はＡ−Ｘ＝ａｍｍとなり、扉の下部の間隙は、Ｂ＋Ｘ＝ｂｍｍとなり、本来あるべき上部の間隙が狭くなり、下部の間隙が広くなっている。図７(Ｄ)に示すように、受側羽根２の位置が正常で、枠体２１に取り付けた軸側羽根１が、正常な位置からＸｍｍだけ下に取り付けられていると、扉はＸｍｍだけ下に下がる。したがって、扉の上部の間隙はＡ＋Ｘ＝ｃｍｍとなり、扉の下部の間隙は、Ｂ−Ｘ＝ｄｍｍとなり、本来あるべき上部の間隙がＸｍｍだけ広くなり、下部の間隙がＸｍｍだけ狭くなっている。その他種々の取付態様により扉の取付位置が変化する。
【０００９】
上記のように取付位置が変化した場合、対震丁番では軸側羽根と受側羽根の間に圧縮代となる可動空間を確保しなければならないし、軸端と儀星の間には圧縮コイルばねと上下動可能な座金が設けられているので、従来の汎用旗丁番の場合のような調整機構を設けることができない。そこで、本発明によれば、上記管部に挿入する軸の長さを可変することにより、対処できるようにして上記課題を解決した。
【００１０】
すなわち、本発明によれば、枠体及び扉に取り付けられる軸側羽根と受側羽根を有し、該羽根には枠体若しくは扉に取り付けるための取付孔を有する羽根板と、羽根板の端部に形成された管部と、該管部の一端を塞ぐ儀星と、管部に挿入される軸と、軸の先端に当接する座金と、管部内に固定した止め輪と、上記座金が止め輪に当接する方向に座金を付勢する圧縮コイルばねを具備し、上記軸側丁番と受側丁番間に可動空間を形成した対震丁番であって、上記軸は長さの異なる複数の軸から成り、軸側羽根若しくは受側羽根の取付位置に応じて複数の軸から選択した軸を管部に設けることを特徴とする対震丁番が提供され、上記課題が解決される。
【００１１】
上記長さの異なる複数の軸は種々に構成される。すなわち、本発明によれば、上記軸は、座金に当接する面に受孔を有し、該受孔に長さの異なる調整ピンを選択的に嵌着して長さを変更するようにした上記対震丁番が提供される。さらに、本発明によれば、上記軸は、長さの異なる複数の軸本体と、該軸本体に当接し上記止め輪側に座金部を有する連接部で構成され、該軸本体を管部に摩擦的に保持する保持手段を設け、上記長さの異なる複数の軸本体から選択した軸本体を管部に挿入することを特徴とする上記対震丁番が提供される。また、軸側羽根の管部に軸の基端を固着した対震丁番においては、本発明によれば、管部に軸を固着せずに該管部に着脱可能に構成された長さが相違する複数の軸から成り、該軸を管部に摩擦的に保持する保持手段を設け、長さの異なる複数の軸から選択した軸を管部に挿入することを特徴とする上記対震丁番が提供される。
【発明の効果】
【００１２】
本発明は上記のように構成され、本発明によれば、枠体及び扉に取り付けられる軸側羽根と受側羽根を有し、該羽根には枠体若しくは扉に取り付けるための取付孔を有する羽根板と、羽根板の端部に形成された管部と、該管部の一端を塞ぐ儀星と、管部に挿入される軸と、軸の先端に当接する座金と、管部内に固定した止め輪と、上記座金が止め輪に当接する方向に座金を付勢する圧縮コイルばねを具備し、上記軸側羽根と受側羽根間に可動空間を形成した対震丁番であって、上記軸は長さの異なる複数の軸から成り、軸側羽根若しくは受側羽根の取付位置に応じて複数の軸から選択した軸を管部に設けるようにしたので、扉の吊り込み現場で上記受側羽根を引き上げれば軸が露出するから、例えば上記図７(Ｂ)のように軸側羽根の取付位置が正常な位置から上方にＸｍｍずれているときは、Ｘｍｍ短い軸を選択して使用すれば扉を正常な位置に吊り込むことができる。図７(Ｃ)のように、受側羽根の位置が下方にＸｍｍずれているときも、扉はＸｍｍ上がっているから、Ｘｍｍ短い軸を選択して使用すればよい。また、図７(Ｄ)のように軸側羽根が、下方にＸｍｍずれているときは、扉はＸｍｍ下がっているから、Ｘｍｍ長い軸を選択して使用すれば正常な位置に扉を吊り込むことができる。その他、変位の程度に応じて現場で適宜の軸を選択して使用すれば、羽根の取付位置を正しく調整して扉を枠体に吊り込むことができる。
【００１３】
さらに、上記軸の長さを変更する構成として、座金に当接する軸の先端面に受孔を設け、該受孔に長さの異なる調整ピンを選択的に嵌着できるようにすると、現場において一方の羽根を外して軸の先端を露出させ、調整ピンを差し替えることにより、軸の長さを変えることができ、簡単に調整することができる。また、上記軸を、長さの異なる複数の軸本体と、該軸本体に当接し上記止め輪側に座金部を有する連接部で構成し、該軸本体を管部に摩擦的に保持する保持手段を設けると、軸が軸本体と連接部に分離されていても、軸本体が管部から簡単に脱落しないので丁番全体が取扱い時にバラバラになることはない。そして、現場で羽根を外して軸本体を露出させ、選択的に長さの異なる軸本体に交換して管部に挿入することにより簡単に軸の長さを調整することができる。
【００１４】
また、軸側羽根の管部に軸の基端を固着した対震丁番においては、該軸の固着を止め、軸を管部に摩擦的に保持する保持手段を設けて着脱可能に構成した長さが相違する複数の軸から構成すると、軸本体が管部から簡単に脱落しないので、取り扱い中にバラバラになることはなく、現場において羽根を外して軸を露出し、長さの異なる軸を選択して管部に交換して装着すれば、簡単に調整することができる。
【図面の簡単な説明】
【００１５】
【図１】扉と枠体の関係を示す説明図。
【図２】軸の先端の受孔に調整ピンを選択的に取り付けるようにした実施例を示し、（Ａ）は軸の一部を断面して示す正面図、（Ｂ）は受孔の内面に形成した溝に弾性リングを設けた説明図、（Ｃ）は受孔の上部を開放して弾性リングを装着した後その周囲をかしめた説明図、(Ｄ)はピンに弾性リングを取り付けた説明図、(Ｅ)はピンの周囲にステイキングで隆起部を形成した説明図、(Ｆ)はローレット加工で隆起部を形成した説明図、(Ｇ)は取付孔に軽く圧入できる程度の外径を有する調整ピンを示す説明図。
【図３】軸を軸本体と連接部に分離した実施例を示し、（Ａ）は従来の軸の説明図、（Ｂ）は軸本体と別体の連接部として座金部だけを形成した説明図、(Ｃ)は(Ｂ)図に示す座金部に対向する軸本体の先部をテーパーに形成した説明図、(Ｄ)は連接部として座金部と小径部を設けた説明図、(Ｅ)は(Ｄ)図に示す軸本体の両端にテーパーを設けかつ軸本体を軸側羽根の管部に脱落防止状態で挿入できる外径にした説明図、(Ｆ)は小径部に軸本体に接続するガイド軸を形成し軸本体との間に調整座金を挿入できるようにした説明図。
【図４】上記長さの異なる軸を選択的に組み込んだ実施例を示し、（Ａ）は上記図３の(Ｃ)図に示す構成の断面図、（Ｂ）は上記図３の(Ｄ)図に示す構成の断面図、（Ｃ）は上記図２の(Ｄ)図に示す構成の断面図、(Ｄ)は軸側羽根に軸を脱落防止状態で着脱可能にした構成を示す断面図。
【図５】上記図３の(Ｃ)図に示す軸を用いた対震丁番を示し、(Ａ)は分解断面図、(Ｂ)は扉に取り付けた状態の断面図、(Ｃ)は扉に荷重が作用して圧縮代となる可動空間がなくなった状態の断面図。
【図６】従来の対震丁番の一実施例を示し、(Ａ)は組立時の断面図、(Ｂ)は圧縮代となる可動空間がなくなった状態の断面図、(Ｃ)は分解断面図。
【図７】従来の対震丁番で扉を吊り込んだ状態を示し、(Ａ)は軸側羽根と受側羽根を正常に取り付けた状態、(Ｂ)は軸側羽根が少し上方に位置する状態、(Ｃ)は受側羽根が少し下方に下がって位置する状態、(Ｄ)は軸側羽根が少し下方に下がって位置する状態の各説明図。
【発明を実施するための形態】
【００１６】
図１は、扉２０と枠体２１の関係を示し、扉２０は対震丁番２２により枠体２１に取り付けられ、ハンドル２３で開閉する。この対震丁番の基本的な構成は従来のものと変わらないので、一例として説明した上記図６を参照して、以下図６に示す符号と同じ符号を用いて以下説明する。上記したように、対震丁番２２は、軸側羽根１と受側羽根２からなり、軸側羽根１は、管部３と、枠体２１への取付孔４を形成した羽根板５と、上記管部端に固着した儀星６と、管部内に設けられた止め輪７と、管部内に上下動かつ回動可能に挿通され下端に座金部８を一体的に有する軸９と、座金部が上記止め輪７にぶつかる位置まで該軸９を上方に付勢する圧縮コイルばね１０を有している。また、受側羽根２は、上記軸９を相対的に上下動かつ回動可能に挿通する管部１１と、扉２０への取付孔１２を形成した羽根板１３と、上記管部端に固着した儀星１４と、管部内に設けられた止め輪１５と、上下動可能な座金１６と、該座金が上記止め輪にぶつかる位置まで座金を下方に付勢する圧縮コイルばね１７を有する。上記軸９の先端は、軸胴部をすぼませた形状に形成してあるが、テーパー状に形成したり、硬球を先端に埋め込んでもよく、儀星６、１４は、組み立ての手順を考慮して適時に溶接やピン打ち込みにより管部と一体化させている。そして、上記軸側羽根１の軸９の先部を受側羽根２の管部１１に挿入し、その先端を上記座金１６に当接し、通常の状態で軸側羽根１の上端と受側羽根２の下端間に圧縮代となる約１０ｍｍ前後の可動空間１８を形成し、この可動空間１８をカバー１９で隠した状態で、通常２〜３組の対震丁番を用いて扉２０を枠体２１に取り付ける。
【００１７】
上記軸９は、長さの異なる複数の軸で構成されている。軸の長さを変更するには種々の方法がある。図２はその一実施例を示し、この方法は軸９の先端に長さの異なる調整ピン２４を選択的に装着して軸９の全長を変えるようにしてある。図２の（Ａ）図を参照し、軸９の先端に受孔２５を形成し、この受孔２５に調整ピン２４を嵌着する。調整ピン２４としては、全長が例えば約１〜５ｍｍ程度長さの違うものを複数用意しておき、扉の吊り込み現場で、適宜の調整ピン２４に差し替えれば、軸９の全長を変化させることができる。この調整ピン２４は、受孔２５から簡単に脱落しないように摩擦的に保持する保持手段で装着することが好ましい。この保持手段としては、例えば、（Ｂ）図に示すように、上記受孔２５の内面に環状の取付溝２６を形成し、該取付溝２６にＯリング等の弾性リング２７を挿入し、該弾性リング２７で調整ピン２４の周囲を弾性的に保持することにより脱落防止してある。また、（Ｃ）図のように、受孔２５の上部を上方に開口し弾性リング２７を装着した後にその周囲の側壁２８をかしめて固定したり、（Ｄ）図のように、調整ピン２４に取付溝２９を設けて弾性リング２７を装着してもよい。
【００１８】
さらに、脱落防止の保持手段としては、弾性リングを用いないで図２の（Ｅ）図に示すようにステイキング加工により調整ピン２４の周囲に隆起部３０を形成して受孔２５に軽い圧入状態で挿入したり、（Ｆ）図に示すようにローレット加工により隆起部３０を形成してもよく、所望により（Ｇ）図に示すように、調整ピン自体の外径３１を受孔２５に軽く圧入できる程度の嵌めあい方式にして保持手段としてもよい。
【００１９】
図２に示す実施例は軸９の下端に座金部８を一体的に形成しているが、軸９を、軸本体３２と、座金部８を有する連接部３３に分離し、軸本体３２の長さを変えて軸の全長を変えるようにすることもできる。上記図６に示す対震丁番は軸側羽根が簡単に分離しないように、軸の下方部分に小径部を設けてその下端に座金部８を軸９と一体的に形成してある(図３Ａ)。この軸9を、図３の（Ｂ）図に示すように、軸本体３２と、座金部８で構成された連接部３３に分離し、全長が例えば約１〜５ｍｍ程度長さの異なる軸本体３２を複数用意しておく。そして、この軸本体は、上記調整ピンの場合と同じように、脱落防止用の保持手段で保持することが好ましい。(Ｂ)図に示す保持手段は、軸本体３２に取付溝３４を設けてＯリング等の弾性リング２７を装着し、管部から脱落しないようにしてある。この弾性リング２７を設ける位置は、軸側羽根１の管部３に対応する位置が好ましい。このようにすれば、軸本体３２を選択的に変更することにより軸９の全長を変えることができる。
【００２０】
上記図３の（Ｂ）図に示す軸本体３２は、一端がテーパー状に形成され、他端の小径部が軸本体の胴部と同じ円柱状に形成されているが、（Ｃ）図に示すように、連接部に対向する軸本体３２の先端もテーパー状に形成していずれの方向でも軸本体３２を管部に組み込むことができるようにしたり、（Ｄ）図に示すように、小径部３５と座金部８を連接部３３としたり、軸本体３２の一端及び小径部３５に対向する軸本体の先端を（Ｅ）図に示すようにテーパー状にしてもよい。なお、(Ｅ)図に実施例では、軸側羽根に挿入される軸本体３２の外径を、管部に軽く圧入できる程度のはめあい方式に形成して脱落防止の保持手段としているが、保持手段としては、ステイキングやローレット加工で周面に隆起部を形成して管部から脱落しないようにしたり、上記(Ｃ)図のように弾性リングを装着して保持手段としてもよい。      
【００２１】
図３の（Ｆ）図に示す実施例は、連接部３３の小径部３５にガイド軸３６を突設するとともに軸本体３２の下端に該ガイド軸３６を取り付ける取付孔３７を形成し、連接部３３と軸本体３２間に調整座金３８を挟着できるようにしたものである。そして、調整座金３８として厚さ約１〜３ｍｍ程度ものを複数枚用意しておき、現場で増減して装着するようにしておけば、軸本体３２の長さを変えなくても軸９の全長を変化させることができる。
【００２２】
上記のようにして軸の長さを変えることができるが、これらの軸を有する対震丁番を上記図６に示す対震丁番に組み込んだ状態の一例が図４に示されている。図４の（Ａ）図は、上記図３の（Ｃ）図に示すように形成された長さの相違する複数の軸本体３２から最適長さの軸本体を選択して組み込んだものである。また、図４の（Ｂ）図は図３の（Ｄ）図に示す構成の複数の軸本体３２を選択して組み込んだもの、図４の（Ｃ）図は上記図２の（Ｄ）図に示すように長さの相違する調整ピン２４から最適の調整ピンを選択して受孔２５に組み込んだものである。
【００２３】
上記特許文献２のように、軸の基端を軸側羽根に固定するようにした対震丁番の場合、上記図２に示す実施例のように軸９の先端に長さの異なる調整ピン２４を交換して着脱できるようにしてもよいし、図４の（Ｄ）図に示すように軸の固定を止め、軸として例えば約１〜５ｍｍ程度長さの異なる複数の軸３９を用意し、現場で該軸３９を選択して交換できるようにしてもよい。該軸は、脱落防止用の保持手段で保持されている。図４(Ｄ)に示す実施例では、軸側羽根の管部に軽く圧入できる程度の外径のはめあい方式に形成して嵌合するようにしてあるが、ステイキングやローレット加工で周面に隆起部(図示略)を形成して管部に挿入したり、その他管部から脱落しないような種々の保持手段を用いることができる。
【００２４】
上記図４の(Ａ)図に示す対震丁番の分解図が図５の(Ａ)図に示されており、この丁番は、組立状態では(Ｂ)図に示すように、軸側羽根１と受側羽根２間に可動空間１８が形成され、地震等により過負荷が扉に作用したときには、(Ｃ)図に示すように上記可動空間１８がなくなる方向に軸側羽根１及び又は受側羽根２を移動させることにより扉を開くことができる。
【００２５】
上記各実施例においては、軸の長さを種々の方法により変えているが、これらの方法を適宜組み合わせて構成することもできる。
【符号の説明】
【００２６】
１    軸側羽根
２    受側羽根
９    軸
１８  可動空間
２４  調整ピン
３２  軸本体
３３  連接部
３８  調整座金
【図１】
2014136949.tif 000003
【図２】
2014136949.tif 000004
【図３】
2014136949.tif 000005
【図４】
2014136949.tif 000006
【図５】
2014136949.tif 000007
【図６】
2014136949.tif 000008
【図７】
2014136949.tif 000009
【手続補正書】
【提出日】平成25年4月22日(2013.4.22)
【手続補正１】
【補正対象書類名】明細書
【補正対象項目名】００１０
【補正方法】変更
【補正の内容】
【００１０】
すなわち、本発明によれば、枠体及び扉に取り付けられる軸側羽根と受側羽根を有し、該羽根には枠体若しくは扉に取り付けるための取付孔を有する羽根板と、羽根板の端部に形成された管部と、該管部の一端を塞ぐ儀星と、管部に挿入される軸と、軸の先端に当接する座金と、管部内に固定した止め輪と、上記座金が止め輪に当接する方向に座金を付勢する圧縮コイルばねを具備し、上記軸側羽根と受側羽根間に可動空間を形成した対震丁番であって、上記軸は長さの異なる複数の軸から成り、軸側羽根若しくは受側羽根の取付位置に応じて複数の軸から選択した軸を管部に設けることを特徴とする対震丁番が提供され、上記課題が解決される。
【手続補正２】
【補正対象書類名】特許請求の範囲
【補正対象項目名】請求項１
【補正方法】変更
【補正の内容】
【請求項１】
枠体及び扉に取り付けられる軸側羽根と受側羽根を有し、該羽根には枠体若しくは扉に取り付けるための取付孔を有する羽根板と、羽根板の端部に形成された管部と、該管部の一端を塞ぐ儀星と、管部に挿入される軸と、軸の先端に当接する座金と、管部内に固定した止め輪と、上記座金が止め輪に当接する方向に座金を付勢する圧縮コイルばねを具備し、上記軸側羽根と受側羽根間に可動空間を形成した対震丁番であって、上記軸は長さの異なる複数の軸から成り、軸側羽根若しくは受側羽根の取付位置に応じて複数の軸から選択した軸を管部に設けることを特徴とする対震丁番。